(57)【要約】【課題】取出口扉を自動で開閉できる取出口装置を安価に提供すること。【解決手段】取出口が形成された取出口フレームと、取出口フレームに回動可能に支承され、取出口を閉塞する取出口扉２９２とを備えた取出口装置において、取出口扉２９２を開閉する扉開閉機構と、取出口を閉塞した取出口扉２９２と係脱可能であって、閉塞した取出口扉２９２と係合した場合に取出口扉２９２を開放不能にする一方、取出口扉２９２から離脱した場合に取出口扉２９２を開放可能にする扉ロック機構と、扉開閉機構と扉ロック機構とを駆動するモータ２９３と、モータ２９３と扉開閉機構との間に設けられ、扉開閉機構に過負荷が作用した場合にモータ２９３から扉開閉機構に伝達する動力を吸収するダンパ２９４１とを備えるようにした。【選択図】図１８
2010205250.tif 000002
【特許請求の範囲】
【請求項１】
取出口が形成された取出口フレームと、取出口フレームに回動可能に支承され、前記取出口を閉塞する取出口扉とを備えた取出口装置において、
取出口を閉塞した取出口扉と係脱可能であって、閉塞した取出口扉と係合した場合に取出口扉を開放不能にする一方、取出口扉から離脱した場合に取出口扉を開放可能にする扉ロック機構と、
取出口扉を開閉する扉開閉機構と、
前記扉ロック機構と前記扉開閉機構とを駆動する駆動手段と、
前記駆動手段と前記扉開閉機構との間に設けられ、扉開閉機構に過負荷が作用した場合に駆動手段から扉開閉機構に伝達する動力を吸収する動力緩衝手段と
を備えたことを特徴とする取出口装置。
【請求項２】
前記扉ロック機構は、
回転可能に設けられたカムと、
前記取出口フレームに摺動可能に取り付けられ、前記カムによって摺動する従動フレームと、
従動フレームに取り付けられ、取出口を閉塞した取出口扉と係脱可能であって、閉塞した取出口扉に係合した場合に取出口扉を開放不能にする一方、閉塞した取出口扉から離脱した場合に取出口扉を開放可能にするロック部材と
を有することを特徴とする請求項１に記載の取出口装置。
【請求項３】
前記扉開閉機構は、
回転可能に設けられた駆動歯車と、
前記取出口扉に設けられ、前記駆動歯車と噛合する従動歯車と
を有することを特徴とする請求項１または請求項２に記載の取出口装置。
【請求項４】
前記駆動手段は、予め設定された開放速度で取出口扉が開放し、予め設定された閉塞速度で取出口扉が閉塞するように、扉開閉機構を駆動することを特徴とする請求項１〜３のいずれか一つに記載の取出口装置。
【請求項５】
前記駆動手段は、パルス幅変調制御される駆動モータであることを特徴とする請求項１〜４のいずれか一つに記載の取出口装置。
【発明の詳細な説明】
【技術分野】
【０００１】
本発明は、カップ式飲料自動販売機の取出口に適用される取出口装置に関する。
【背景技術】
【０００２】
ディスプレイドアに開口した取出口を閉塞する取出口扉を備えたカップ式飲料自動販売機が広く知られている。取出口を閉塞する取出口扉は、その一側をディスプレイドアにヒンジ結合された開閉扉であり、そのヒンジ部に取り付けた付勢ばねにより常時閉方向に付勢されている。また、取出口扉とディスプレイドアとの間には、フック、該フックに掛け止めされた鎖錠レバー、鎖錠レバーを鎖錠方向に付勢するばね、およびばねに抗して鎖錠レバーを釈放するソレノイドよりなる鎖錠機構が装備されている。かかる構成により販売待機時には取出口扉は閉位置に鎖錠されて外方から開放することができない。一方、販売動作の過程でカップ搬送機構によりカップが取出口に臨む販売位置に搬出されると、この状態を検知してソレノイドに扉開放指令が与えられ、その吸引動作で鎖錠レバーとフックとの係合を釈放して取出口扉が開放可能な状態となる。そして、カップが取出口より取り出されると、一定時間の後にソレノイドが復帰動作して取出口扉は再び閉扉位置に鎖錠される。なお、このカップ取出の検知は、カップ検知センサの出力を利用して行われる（たとえば、特許文献１参照）。
【先行技術文献】
【特許文献】
【０００３】
【特許文献１】特開昭６２−１７１０９６号公報
【発明の概要】
【発明が解決しようとする課題】
【０００４】
しかしながら、上述した取出口扉は、開放可能な状態になったときに利用者が開放する必要があり、取出口扉を自動で開閉できる取出口装置を安価に提供できれば、より付加価値の高いカップ式飲料自動販売機を提供できることになる。
【０００５】
本発明は、上記に鑑みてなされたものであって、取出口扉を自動で開閉できる取出口装置を安価に提供することを目的とする。
【課題を解決するための手段】
【０００６】
上述した課題を解決し、目的を達成するために、本発明は、取出口が形成された取出口フレームと、取出口フレームに回動可能に支承され、前記取出口を閉塞する取出口扉とを備えた取出口装置において、取出口を閉塞した取出口扉と係脱可能であって、閉塞した取出口扉と係合した場合に取出口扉を開放不能にする一方、取出口扉から離脱した場合に取出口扉を開放可能にする扉ロック機構と、取出口扉を開閉する扉開閉機構と、前記扉ロック機構と前記扉開閉機構とを駆動する駆動手段と、前記駆動手段と前記扉開閉機構との間に設けられ、扉開閉機構に過負荷が作用した場合に駆動手段から扉開閉機構に伝達する動力を吸収する動力緩衝手段とを備えたことを特徴とする。
【０００７】
また、本発明は、上記発明において、前記扉ロック機構は、回転可能に設けられたカムと、前記取出口フレームに摺動可能に取り付けられ、前記カムによって摺動する従動フレームと、従動フレームに取り付けられ、取出口を閉塞した取出口扉と係脱可能であって、閉塞した取出口扉に係合した場合に取出口扉を開放不能にする一方、閉塞した取出口扉から離脱した場合に取出口扉を開放可能にするロック部材とを有することを特徴とする。
【０００８】
また、本発明は、上記発明において、前記扉開閉機構は、回転可能に設けられた駆動歯車と、前記取出口扉に設けられ、前記駆動歯車と噛合する従動歯車とを有することを特徴とする。
【０００９】
また、本発明は、上記発明において、前記駆動手段は、予め設定された開放速度で取出口扉が開放し、予め設定された閉塞速度で取出口扉が閉塞するように、扉開閉機構を駆動することを特徴とする。
【００１０】
また、本発明は、上記発明において、前記駆動手段は、パルス幅変調制御される駆動モータであることを特徴とする。
【発明の効果】
【００１１】
本発明にかかる取出口装置は、駆動手段と扉開閉機構との間に設けられ、扉開閉機構に過負荷が作用した場合に駆動手段から扉開閉機構に伝達する動力を吸収する動力緩衝手段を備えたので、扉ロック機構と扉開閉機構とを一つの駆動手段によって駆動することができる。したがって、取出口扉を自動で開閉できる取出口装置を安価に提供できる。
【００１２】
また、予め設定された開放速度で取出口扉が開放し、予め設定された閉塞速度で取出口扉が閉塞するように、駆動手段が扉開閉機構を駆動するので、取出口扉の開放速度と閉塞速度とを異ならしめることができる。
【図面の簡単な説明】
【００１３】
【図１】図１は、本発明の実施の形態である取出口装置を適用したカップ式飲料自動販売機を示す正面図である。
【図２】図２は、図１に示したカップ式自飲料動販売機の内部構造を示す正面図である。
【図３】図３は、図１に示したカップ式飲料自動販売機の内部構造を示す正面図である。
【図４】図４は、図１に示したカップ式飲料自動販売機の内部構造を示す平面図である。
【図５】図５は、図１に示したレギュラーコーヒー抽出装置、粉末原料供給装置、リーフティ抽出装置を示す斜視図である。
【図６】図６は、図５に示したリーフティ抽出装置を示す斜視図である。
【図７】図７は、図６に示したリーフティ抽出装置の部分拡大断面図である。
【図８】図８は、図６に示したリーフティ抽出装置の部分拡大断面図である。
【図９】図９は、図５に示した複数の粉末原料供給装置を示す斜視図である。
【図１０】図１０は、図９に示した一の粉末原料供給装置を示す斜視図である。
【図１１】図１１は、図１０に示したシャッタ開放装置を示す斜視図である。
【図１２】図１２は、図２に示したカップ把持装置を示す斜視図である。
【図１３】図１３は、図１に示した取出口装置を示す斜視図である。
【図１４】図１４は、図１３に示した扉ロック機構を示す斜視図である。
【図１５−１】図１５−１は、扉ロック機構を示す平面図であって、ロック状態を示すものである。
【図１５−２】図１５−２は、扉ロック機構を示す平面図であって、アンロック状態を示すものである。
【図１６】図１６は、図１３に示した扉開閉機構を示す斜視図である。
【図１７−１】図１７−１は、扉開閉機構を示す平面図であって、閉塞状態を示すものである。
【図１７−２】図１７−２は、扉開閉機構を示す平面図であって、開放状態を示すものである。
【図１８】図１８は、扉開閉機構と扉開閉機構を駆動するモータとの関係を示す斜視図である。
【発明を実施するための形態】
【００１４】
以下に、本発明にかかる取出口装置の実施の形態を図面に基づいて詳細に説明する。なお、この実施の形態によりこの発明が限定されるものではない。
【００１５】
本実施の形態である取出口装置は、カップ式飲料自動販売機の取出口に適用される。取出口装置が適用されるカップ式飲料自動販売機は、レギュラーコーヒー飲料、リーフティ飲料のほか、ココアなどのインスタント飲料を販売するカップ式飲料自動販売機であって、より具体的には、砂糖、クリーム、ココア等の粉末原料をカップの内部で調理するカップ内ミキシング方式のカップ式飲料自動販売機である。
【００１６】
カップ式飲料自動販売機は、図１〜図４に示すように、前面が開口した箱状の本体キャビネット１と、本体キャビネット１の前面開口を閉塞するディスプレイドア２とを備えている。図２〜図４に示すように、本体キャビネット１の内部には、給水タンク１１、湯タンク１２、レギュラーコーヒー抽出装置３、リーフティ抽出装置４、粉末原料供給装置５、製氷器６、カップ供給装置７、カップ搬送装置８を備えている。
【００１７】
給水タンク１１は、水を貯留するためのものであって、図２および図３に示すように、本体キャビネット１の内部下方中央に搭載されている。そして、給水タンク１１に一旦貯留された水は、湯タンク１２と製氷器６とに供給されるようになっている。
【００１８】
湯タンク１２は、レギュラーコーヒー抽出装置３、リーフティ抽出装置４のほか、調理位置に搬送されたカップに湯を供給するもので、図４に示すように、本体キャビネット１の内部上方奥側、背壁に沿って設けられている。そして、給水タンク１１から供給された水は、湯タンク１２に貯えられ、ヒータ（図示せず）により沸かされて湯になるようになっている。
【００１９】
湯タンク１２には、複数の湯弁（図示せず）が配設してある。一の湯弁は、湯配管（図示せず）を介してレギュラーコーヒー抽出装置３に接続してあり、湯弁を開放することにより、湯配管を通ってレギュラーコーヒー抽出装置３に湯が供給されるようになっている。また、一の湯弁（図示せず）は、湯配管（図示せず）を介してリーフティ抽出装置４に接続してあり、湯弁を開放することにより、湯配管を通ってリーフティ抽出装置４に湯が供給されるようになっている。さらに、一の湯弁（図示せず）は、湯配管（図示せず）を介して調理位置に搬送されたカップに湯を注出するノズル１３（図６参照）に接続してあり、湯弁を開放することにより、湯配管、ノズル１３を通って調理位置に搬送されたカップに湯が注出されるようになっている。
【００２０】
製氷器６は、給水タンク１１から供給された水から調理用の氷を作るもので、図４に示すように、本体キャビネット１の内部上方左奥側に取り付けてある。製氷器６は、円筒状の金属の外内面にエボパレータ（図示せず）を密着巻にし、内面に着氷した氷をオーガ（図示せず）で連続的に掻き取り、上部に押し上げながら圧縮成形と切断を行う製氷部（図示せず）と、製氷部でチップ状に形成された氷を貯蔵する氷ストッカー部６１とを備えている。氷ストッカー部６１には、アイスドア（図示せず）が配設してある。アイスドアは、氷配管（図示せず）を介して調理位置に搬送されたカップに氷を供給するノズル（図示せず）に接続してあり、アイスドアを開放することにより、氷配管、ノズルを通って調理位置に搬送されたカップに氷が供給されるようになっている。
【００２１】
レギュラーコーヒー抽出装置３は、レギュラーコーヒー飲料を抽出するためのものであって、図２および図３に示すように、本体キャビネット１の内部上方右側に取り付けてある。レギュラーコーヒー抽出装置３は、図５に示すように、上方から下方に向けて、順に、豆キャニスタ３１、コーヒーミル３２、コーヒーブリュア３３を備えている。豆キャニスタ３１は、コーヒー豆を収容し、レギュラーコーヒー飲料を抽出する場合に、コーヒーミル３２にコーヒー豆を供給するもので、本実施の形態にかかるレギュラーコーヒー抽出装置３は、二つの豆キャニスタ３１を備えている。
【００２２】
豆キャニスタ３１は、原料モータ（図示せず）を備えている。原料モータは、コーヒー豆をコーヒーミル３２に供給するためのもので、原料モータを駆動すると、コーヒー豆がコーヒーミル３２に供給され、原料モータを停止するとコーヒー豆の供給が停止されるようになっている。
【００２３】
コーヒーミル３２は、豆キャニスタ３１から供給された豆を挽き、コーヒーブリュア３３に供給するもので、水平方向に延びる円筒状の空間が形成されたシュータ（図示せず）と、シュータが接続され、固定刃（ミル刃）が固定されたミル本体３２１と、シュータに挿通されるとともに、外周に螺旋状のスプリングが巻回され、かつ回転刃（ミル刃）が固定されたスクリュ（図示せず）と、スクリュを回転させるモータ３２２とを有している。そして、モータ３２２がスクリュを回転させることにより、シュータに供給された豆は、ミル刃に向けて送られ、粉砕されるようになっている。
【００２４】
また、ミル本体３２１には、ミルシュータ（図示せず）が接続してあり、粉砕されたコーヒー豆（挽き豆）は、ミルシュータを通ってコーヒーブリュア３３に供給されるようになっている。
【００２５】
コーヒーブリュア３３は、コーヒーミル３２から供給された挽き豆に湯タンク１２から供給された湯を注ぐことにより、レギュラーコーヒー飲料を抽出するものである。コーヒーブリュア３３は、コーヒー豆（挽き豆）と湯が供給される円筒状のシリンダ（抽出容器）（図示せず）と、シリンダの下面にフィルタを供給するフィルタ供給装置（図示せず）と、シリンダの下方に設けられ、レギュラーコーヒー飲料を抽出する場合にシリンダと密着し、容器を構成するフィルタブブロック（図示せず）とを備えている。
【００２６】
フィルタブロックは、コーヒー配管（図示せず）を介して調理位置に搬送されたカップにレギュラーコーヒー飲料を注出するノズル３４（図６参照）に接続してあり、コーヒー配管、ノズル３４を通って調理位置に搬送されたカップにレギュラーコーヒー飲料が注出されるようになっている。
【００２７】
リーフティ抽出装置４は、リーフティ飲料を抽出するためのものであって、図２および図３に示すように、本体キャビネット１の内部上方左側に取り付けてある。リーフティ抽出装置４は、図６に示すように、上方から下方に向けて、順に、リーフティキャニスタ４１、リーフティミル４２、リーフティブリュア４３を備えている。リーフティキャニスタ４１は、リーフティ（茶葉）を貯蔵し、リーフティ飲料を抽出する場合に、リーフティミル４２にリーフティ（茶葉）を供給するもので、本実施の形態にかかるリーフティ抽出装置４は、一つのリーフティキャニスタ４１を備えている。
【００２８】
リーフティキャニスタ４１は、原料モータ４１１を備えている。原料モータ４１１は、リーフティ（茶葉）をリーフティミル４２に供給するためのもので、原料モータ４１１を駆動すると、リーフティ（茶葉）がリーフティミル４２に供給され、原料モータ４１１を停止するとリーフティ（茶葉）の供給が停止されるようになっている。
【００２９】
リーフティミル４２は、リーフティキャニスタ４１から供給されたリーフティ（茶葉）を粉砕し、リーフティブリュア４３に供給するもので、水平方向に延びる円筒状の空間が形成されたシュータ（図示せず）と、シュータが接続され、固定刃が固定されたミル本体４２１と、シュータに挿通されるとともに、外周に螺旋状のスプリングが巻回され、かつ回転刃（ミル刃）が固定されたスクリュ（図示せず）と、スクリュを回転させるモータ４２２とを有している。そして、モータ４２２がスクリュを回転させることにより、シュータに供給されたリーフティ（茶葉）は、ミル刃に向けて送られ、粉砕されるようになっている。
【００３０】
また、ミル本体４２１には、ミルシュータ４２３が接続してあり、粉砕されたリーフティ（茶葉）は、ミルシュータ４２３を通ってリーフティブリュア４３に供給されるようになっている。
【００３１】
リーフティブリュア４３は、リーフティミル４２から供給されたリーフティ（粉砕された茶葉）に湯タンク１２から供給された湯を注ぐことにより、リーフティ飲料を抽出するものである。リーフティブリュア４３は、リーフティと湯が供給される円筒状の抽出容器（図示せず）と、抽出容器の下面にフィルタを供給するフィルタ供給装置４３２と、抽出容器の下方に設けられ、リーフティ飲料を抽出する場合にフィルタと抽出容器とを密着させるフィルタブロック（図示せず）とを備えている。
【００３２】
フィルタブロックは、ティ配管４５を介して調理位置に搬送されたカップにリーフティ飲料を注出するノズル４６に接続してあり、ティ配管４５、ノズル４６を通って調理位置に搬送されたカップにリーフティ飲料が注出されるようになっている。
【００３３】
図７に示すように、リーフティミル４２とリーフティブリュア４３との間には、フィルタケース４３４と、フィルタケース４３４に接合するカバー４３５とがミルシュータ４２３を挟むように配設してあり、フィルタケース４３４とカバー４３５との間に空間が画成されるようになっている。フィルタケース４３４の前面には吸気口４３４ａが開口しており、吸気口４３４ａと連通する排気口４３４ｂがフィルタケース４３４の背面に設けられている。また、吸気口４３４ａと排気口４３４ｂとを連通する流路には、粗目のフィルタ４３６と細目のフィルタ４３７とが着脱可能に装着されている。
【００３４】
排気口４３４ｂには、蛇腹の排気ホース４３８の一端が接続してあり、排気ホース４３８の他端が本体キャビネット１の背壁に取り付けたブロア４３９に取り付けてある。そして、リーフティブリュア４３に粉砕茶葉と湯が投入され、リーフティ飲料の抽出が始まると、ブロア４３９がフィルタケース４３４とカバー４３５との間から空気を吸引し、吸引された空気は、粗目のフィルタ４３６と細目のフィルタ４３７とを通って本体キャビネット１の外部に排出されるようになっている。このとき、吸引された空気に含まれる微粉は、粗目のフィルタ４３６と細目のフィルタ４３７とによって捕集されることになる。
【００３５】
図８に示すように、フィルタケース４３４の下面には、接続口４３４ｃが設けてあり、接続口４３４ｃと連通する排気口４３４ｄがフィルタケース４３４の背面に設けられている。接続口４３４ｃは、リーフティブリュア４３の上面に設けられた排気口４３ａに接続されている。接続口４３４ｃと排気口４３４ｄとを連通する流路には、粗目のフィルタ４４１と細目のフィルタ４４２とが着脱可能に装着されている。
【００３６】
この排気口４３４ｄには、蛇腹の湯気ホース４４３の一端が接続してあり、湯気ホース４４３の他端が上述したブロア４３９に取り付けてある。したがって、リーフティブリュア４３に粉砕茶葉と湯が投入され、リーフティ飲料の抽出が始まると、ブロア４３９がリーフティブリュア４３から湯気を吸引し、吸引された湯気は、粗目のフィルタ４４１と細目のフィルタ４４２とを通って本体キャビネット１の外部に排出されることになる。このとき、吸引された湯気に含まれる微粉は、粗目のフィルタ４４１と細目のフィルタ４４２とによって捕集されることになる。
【００３７】
粉末原料供給装置５は、砂糖、クリームなどの粉末原料を原料ごとに収容し、必要に応じて払い出すもので、図３および図４に示すように、本体キャビネット１の内部上方中央に取り付けてある。粉末原料供給装置５は、図９に示すように、複数の原料キャニスタ５１と、原料キャニスタ５１ごとに設けられた原料シュータ５２とを備えている。原料キャニスタ５１は、粉末原料を収容し、払い出す収容容器であって、本実施の形態にかかる粉末原料供給装置は、四つの原料キャニスタ５１を備えており、砂糖、クリームのほか二つの粉末原料（たとえば、レモンパウダ、ココアパウダ）を収容できるようになっている。
【００３８】
図９および図１０に示すように、原料キャニスタ５１は、上面が前下がりとなるように傾斜しており、この上面に原料投入口（図示せず）が形成されている。また、原料投入口は開閉可能な蓋５１１によって閉塞してあり、粉末原料に異物が混入しないようになっている。また、原料キャニスタ５１の底部には、螺旋状に形成されたスクリュ（図示せず）が回転可能に設けられ、原料キャニスタ５１の奥に取り付けた原料モータ５１２を駆動すると、スクリュが回転し、原料キャニスタ５１の底部前面に形成された原料払出口（図示せず）から粉末原料が払い出されるようになっている。
【００３９】
原料シュータ５２は、原料キャニスタ５１から払い出された粉末原料を受け取り、一時的に収容するもので、原料キャニスタ５１の前方から下方に延びる筒状を成している。この原料シュータ５２の一端は、原料払出口（図示せず）に接続してあり、他端（払出口）は、前後一対となるシャッタ５２１，５２２（図１１参照）により閉塞されるようになっている。
【００４０】
図１１に示すように、シャッタ５２１，５２２は、それぞれシャッタ軸（図示せず）によって原料シュータ５２の下方部に支承されている。シャッタ軸の一端には、扇形に形成されたセクタギア５２３，５２４がそれぞれ取り付けてあり、前側のシャッタ５２１のシャッタ軸に取り付けたセクタギア５２３と、後側のシャッタ５２２のシャッタ軸に取り付けたセクタギア５２４とは、相互に噛み合い、後側のセクタギア５２４を図１１において反時計方向に回転させることにより、後側のシャッタ５２２を開放させれば、前側のセクタギア５２３は図１１において時計方向に回転し、前側のシャッタ５２１も開放することになる。
【００４１】
また、図１０に示すように、原料シュータ５２の側面と各セクタギア５２３，５２４との間には、引っ張りコイルバネ５２５が張架してあり、引っ張りコイルバネ５２５の弾性復元力によって、前側のセクタギア５２３は反時計方向に付勢され、後側のセクタギア５２４は時計方向に付勢されるようになっている。この結果、前側のシャッタ５２１が反時計方向に回転し、後側のシャッタ５２２が時計方向に回転することにより、原料シュータ５２の払出口が閉塞されるようになっている。
【００４２】
図１１に示すように、シャッタ５２１，５２２の後方には、シャッタ開放装置９が設けてある。シャッタ開放装置９は、後側のシャッタ５２２から延びたレバー部５２２ａを図１１において反時計方向に回転させるもので、アーム軸９１と、アーム軸９１に回転可能に支承されたアーム９２と、アーム軸９１と平行に取り付けられたカム軸９３と、カム軸９３に回転可能に支承され、アーム９２を揺動させるカム９４と、カム９４に取り付けられ、カム９４とともに回転するレバー９５とを備えている。
【００４３】
アーム軸９１は、複数の原料シュータ５２に対して一つ設けてあり、原料シュータ５２の配設方向となる左右方向に延在している。アーム９２は、原料シュータ５２ごとに設けてあり、アーム軸９１に回転可能に支承される軸受部９２１と、軸受部９２１から後斜め下方に延在し、カム９４によって押圧される受圧部（図示せず）と、軸受部９２１から前方に延在し、アーム９２が図１１において時計方向に揺動した場合にレバー部５２２ａを押圧する押圧部９２３とを有している。また、軸受部９２１から上方に向けて突出したバネ装着部９２４に引っ張りコイルバネ９６の一端が装着してあり、この引っ張りコイルバネ９６の弾性復元力によって、アーム９２が図１１において反時計方向に回動するようになっている。
【００４４】
カム軸９３は、アーム軸９１と同様に、複数の原料シュータ５２に対して１つ設けてあり、アーム軸９１と平行となる左右方向に延在している。カム９４は、アーム９２ごとに設けてあり、カム軸９３に回転可能に支承される軸受部９４１と、軸受部の軸方向中央に設けられ、アーム９２の受圧部を押圧するカム部９４２とを有している。カム部９４２は、半径が漸次大きくなる円板カムを構成しており、カム９４が図１１において反時計方向に回転すると、カム部９４２の外周がアーム９２の受圧部を押圧することにより、アーム９２を時計方向に回転させるようになっている。
【００４５】
レバー９５は、シャッタ開放装置９を作動させるためのもので、カム９４の軸受部９４１に取り付けられるホルダ部９５１と、ホルダ部９５１に傾倒可能に取り付けられたレバー部９５２と、ホルダ部９５１とレバー部９５２との間に取り付けられ、レバー部９５２をホルダ部９５１の延在方向に復帰させるコイルバネ９５３とを備えている。また、レバー部９５２から前方に向けて突出したバネ装着部９５２ａに引っ張りコイルバネ９７の一端が装着してあり、この引っ張りコイルバネ９７の弾性復元力によって、レバー９５が図１１において時計方向に回動するようになっている。そして、引っ張りコイルバネ９７の弾性復元力に抗してレバー部９５２が前方から後方に向けて押されると、レバー９５はカム９４とともに図１１において反時計方向に回転するようになっている。一方、レバー部９５２が左方から右方に向けて、あるいは右方から左方に向けて押されると、レバー９５は回転することなく、コイルバネ９５３を折り曲げて、レバー部９５２が傾倒するようになっている。そして、レバー部９５２をすり抜け等することにより、レバー部９５２に作用していた力が取り除かれると、コイルバネ９５３が折曲がった状態から復帰して、レバー部９５２は元の位置に復帰するようになっている。
【００４６】
カップ供給装置７は、カップ供給位置にカップを供給するもので、図２に示すように、本体キャビネット１の内部上方中央前側であって、上述した粉末原料供給装置５の前方にセットされるようになっている。このカップ供給装置７は、本体キャビネット１の左側縁部に回動可能に支承されており、上述したリーフティ抽出装置４、粉末原料供給装置５にリーフティ（茶葉）や粉末原料を補充する場合等に回動させることができるようになっている。
【００４７】
カップ搬送装置８は、カップ供給位置において供給されたカップを後述する受取位置を経由して調理位置に搬送した後、取出口に臨む販売位置に搬送するものであって、本体キャビネット１の内部中程、粉末原料供給装置５の下方に設けられている。カップ搬送装置８は、カップ供給位置において供給されたカップを把持するカップ把持装置８０（図１２参照）と、カップ把持装置８０が搭載され、カップ把持装置８０が把持したカップを左右方向（Ｘ方向）および前後方向（Ｙ方向）に搬送する搬送装置（図示せず）とを備えている。
【００４８】
図１２に示すように、カップ把持装置８０は、ステージ８１と、一対のカップフラッパ８２を備えている。ステージ８１は、カップフラッパ８２を開閉する開閉機構が収容された機構収容部８１１と、機構収容部８１１の下部から前方に向けて水平に設けられ、カップ供給装置７から供給されたカップを受け止めるステージ部８１２とを有している。ステージ部８１２は、格子状に複数の穴が設けてあり、こぼれた飲料等が溜まらないようになっている。一対のカップフラッパ８２は、ステージ部８１２が受け止めたカップを両側から支えるものであって、機構収容部８１１に回転可能に支承された軸部（図示せず）と、軸部の中程から前方に延在するフラッパアーム部８２１と、フラッパアーム部８２１に連なって設けられ、下側がすぼまった円筒を成すように形成されたカップ把持部８２２と、カップ把持部８２２に連なって設けられ、前方外側に向けて延在するフラッパ部８２３とを有している。
【００４９】
カップ搬送装置８は、販売待機状態においてカップ把持装置８０を販売位置に待機させるようになっている。そして、飲み物が選択されると、カップ把持装置８０をカップ供給位置に移動させ、カップ供給装置７からカップを受け取るようになっている。そして、カップ把持装置８０がカップを受け取ると、カップ搬送装置８は、カップを受取位置に移動させるようになっている。受取位置は、原料キャニスタ５１から原料シュータ５２に払い出された粉末原料を受け取る位置であって、粉末原料が払い出された原料シュータ５２の下方が受取位置となる。たとえば、砂糖、クリーム入りレギュラーコーヒーを販売する場合には、原料キャニスタ５１から払い出された砂糖が一時的に収容される原料シュータ５２の下方、原料キャニスタ５１から払い出されたクリームが一時的に収容される原料シュータ５２の下方が受取位置となる。
【００５０】
そして、カップを受取位置に順次移動させることにより、カップが原料シュータ５２から払い出された粉末原料をすべて受け取ると、カップ搬送装置８は、カップを調理位置に搬送するようになっている。調理位置は、湯、レギュラーコーヒー飲料、リーフティ飲料が注出されるほか、氷が供給される位置であって、カップ内の飲料を撹拌するパドル８３が昇降可能に設けてある（図６参照）。そして、カップが原料シュータ５２から粉末原料を受け取った場合には、パドル８３が下降するとともに回転し、粉末原料が溶け残ることがないように撹拌するようになっている。そして、カップに湯、レギュラーコーヒー飲料、リーフティ飲料などの注出が完了すると、カップ搬送装置８は、カップを販売位置に移動させるようになっている。
【００５１】
カップ搬送装置の下方には、トレイ（図示せず）が設けてある。トレイは、こぼれた飲料や原料を受け止めるもので、受け止めた飲料や原料は、排水ホース１４によって、本体キャビネット１の内部下方右側に搭載された排水容器１５に流れ込むようになっている。
【００５２】
図１に示すように、ディスプレイドア２の上半分には、このカップ式飲料自動販売機が販売できる飲料を表示するパネル２１と、飲料の表示と対応するように設けられ、販売される飲料を選択する選択ボタン２２と、原料（たとえば、砂糖、クリームなど）を増減する増減ボタン２３とを備えている。
【００５３】
また、ディスプレイドア２の中程右側には、投入金額等を表示する一体表示器２４のほか、硬貨投入口２５、返却レバー２６が設けてあり、ディスプレイドア２の中程左側には、紙幣挿入口２７が設けてある。また、硬貨投入口２５の下方となるディスプレイドア２の下部右側には、釣銭口２８が設けてある。
【００５４】
さらに、ディスプレイドア２の中程中央には、取出口装置２９を備えている。図１３に示すように、取出口装置２９は、ディスプレイドア２に嵌め込まれ、略正方形の取出口が形成された取出口フレーム２９１と、取出口フレーム２９１に支承され、取出口を閉塞する取出口扉２９２とを備えている。取出口扉２９２は、一つのモータ２９３で開閉されるとともに、閉塞状態でロックされるようになっている。
【００５５】
取出口装置２９は、扉ロック機構、扉開閉機構、モータ（駆動手段）、ダンパ（動力緩衝手段）２９４１を有している。扉ロック機構は、取出口を閉塞した取出口扉２９２と係脱可能であって、閉塞した取出口扉２９２と係合した場合に取出口扉２９２を開放不能にする一方、取出口扉２９２から離脱した場合に取出口扉２９２を開放可能にするものである。
【００５６】
図１４に示すように、扉ロック機構は、モータ（駆動手段）２９３の出力軸に取り付けられたカム２９４と、モータ２９３が取り付けられるモータハウジング２９５に収容され、カム２９４によって左右に従動する従動フレーム２９６と、従動フレーム２９６に接続され、閉塞された取出口扉２９２と係合するＬ字状のロック部材２９７とを備えている。また、モータハウジング２９５と従動フレーム２９６との間には、引っ張りコイルバネ２９５１（図１５参照）が張架してある。この引っ張りコイルバネ２９５１の弾性復元力が従動フレーム２９６に常時作用し、従動フレーム２９６は左方に移動するように付勢されている。また、モータハウジング２９５の内部には、扉ロック検出スイッチ２９５２（図１５参照）が設けてある。扉ロック検出スイッチ２９５２は、従動フレーム２９６が左方に移動した場合に従動フレーム２９６の左端面を検出してオンとなるスイッチで、この扉ロック検出スイッチ２９５２がオン、後述する扉閉検出スイッチ２９５３がオフとなっている場合に取出口扉２９２が開放不能となっていると判断するようになっている。
【００５７】
このように構成した扉ロック機構は、図１５−１に示すように、取出口扉２９２が閉塞した状態で、引っ張りコイルバネ２９５１の弾性復元力が従動フレーム２９６に作用することにより、従動フレーム２９６、ロック部材２９７が左方に移動している。このとき、ロック部材２９７が取出口扉２９２に係合し、取出口扉２９２を開放不能にする（ロック状態）。そして、扉ロック検出スイッチ２９５２がオンとなる。一方、図１５−２に示すように、モータ２９３を駆動するとカム２９４が従動フレーム２９６に作用することにより、引っ張りコイルバネ２９５１の弾性力に抗して従動フレーム２９６、ロック部材２９７を右方に移動させる。このとき、ロック部材２９７が取出口扉２９２から離脱し、取出口扉２９２を開放可能にする（アンロック状態）。そして、扉ロック検出スイッチ２９５２がオフとなる。
【００５８】
図１６に示すように、扉開閉機構は、取出口扉２９２を開閉するためのもので、回転可能に設けられた駆動歯車２９９と、取出口扉２９２に設けられ、駆動歯車２９９と噛合する内歯歯車（従動歯車）２９８とを有している。また、モータハウジング２９５の内部には、扉閉検出スイッチ２９５３が設けてある。扉閉検出スイッチ２９５３は、取出口扉２９２が閉となった場合にオンとなるスイッチであり、この扉閉検出スイッチ２９５３がオンとなっている場合に取出口扉２９２が閉塞されていると判断するようになっている。
【００５９】
このように構成した扉開閉機構は、図１７−１に示すように、取出口扉２９２が閉塞した状態から駆動歯車２９９を図１７において時計方向に回転させると、取出口扉２９２が図１７において時計方向に回転し、図１７−２に示すように取出口扉２９２が開放され、扉閉検出スイッチ２９５３がオンとなる。一方、図１７−２に示すように、取出口扉２９２が開放した状態から駆動歯車２９９を図１７において反時計方向に回転させると、取出口扉２９２が図１７において反時計方向に回転し、図１７−１に示すように、取出口扉２９２が閉塞され、扉閉検出スイッチ２９５３がオフとなる。
【００６０】
図１８に示すように、ダンパ２９４１は、扉開閉機構に過負荷が作用した場合にモータ２９３から扉開閉機構に伝達する動力を吸収するもので、モータ２９３と扉開閉機構との間に設けてある。具体的には、カム２９４と駆動歯車２９９との間に設けてある。なお、扉開閉機構に過負荷が作用する場合とは、取出口扉２９２の開放途中で人体等に当たり取出口扉２９２の開放が妨げられた場合、取出口扉２９２が閉塞してからロック部材２９７が取出口扉２９２に係合するまでの間である。
【００６１】
上述した取出口装置２９において、取出口扉２９２が閉塞状態でロックされている場合にモータ２９３を回転させると、カム２９４が従動フレーム２９６を右方に移動させ、ロック部材２９７を取出口扉２９２から離脱させるとともに、駆動歯車２９９が内歯歯車２９８を回転させ、取出口扉２９２が開放される。ここで、駆動歯車２９９に過大な力が作用した場合には、ダンパ２９４１が作用することにより、駆動歯車２９９は回転することがないが、モータ２９３がロックすることもない。
【００６２】
一方、取出口扉２９２が開放されている場合にモータ２９３を回転させると、駆動歯車２９９が内歯歯車２９８を回転させ、取出口扉２９２が閉塞される。そして、取出口扉２９２が閉塞された後、カム２９４が従動フレーム２９６を左方に移動させると、ロック部材２９７が取出口扉２９２に係合し、取出口扉２９２が閉塞状態でロックされる。取出口扉２９２が閉塞されると、駆動歯車２９９に過大な力が作用することになるが、ダンパ２９４１が作用することにより、駆動歯車２９９は回転することがないが、モータ２９３はロックすることなく、カム２９４を回転させることになる。また、モータ２９３は、パルス幅変調制御（ＰＷＭ制御）によって制御され、取出口扉２９２の開放開始時、閉塞開始時にはゆっくりと取出口扉２９２が動作するようになっている。
【００６３】
上述したカップ式飲料自動販売機において、硬貨投入口２５または紙幣挿入口２７から販売される飲料の対価を超える硬貨または紙幣が投入され、選択ボタン２２を押下することにより、販売される飲料が選択されると、販売する飲料が確定される。
【００６４】
販売する飲料が砂糖入りの飲料の場合には、砂糖が収容されている原料キャニスタ５１の原料モータ５１２を駆動することにより、原料キャニスタ５１から原料シュータ５２に砂糖を払い出す。そして、払い出された砂糖は、原料シュータ５２に一時的に収容される。
【００６５】
同様に、販売する飲料がクリーム入り飲料の場合には、クリームが収容されている原料キャニスタ５１の原料モータ５１２を駆動することにより、原料キャニスタ５１から原料シュータ５２にクリームを払い出す。払い出されたクリームは、原料シュータ５２に一時的に収容される。
【００６６】
販売する飲料がレギュラーコーヒー飲料の場合には、レギュラーコーヒー飲料の原料となるコーヒー豆が収容された豆キャニスタ３１の原料モータを駆動することにより、豆キャニスタ３１からコーヒーミル３２にコーヒー豆を供給する。コーヒーミル３２に供給されたコーヒー豆は、スクリュによってシュータ内をミル刃に向けて送られることにより、粉砕され、挽き豆となる。挽き豆となったコーヒー豆は、コーヒーブリュア３３に供給され、湯タンク１２から供給された湯を注ぐことにより、レギュラーコーヒー飲料が抽出される。
【００６７】
販売する飲料がリーフティ飲料の場合には、リーフティ（茶葉）が収容されたリーフティキャニスタ４１の原料モータ４１１を駆動することにより、リーフティキャニスタ４１からリーフティミル４２にリーフティ（茶葉）を供給する。リーフティミル４２に供給されたリーフティ（茶葉）は、スクリュによってシュータ内をミル刃に向けて送られることにより、粉砕される。粉砕されたリーフティ（粉砕茶葉）は、リーフティブリュア４３に供給され、湯タンク１２から供給された湯を注ぐことにより、リーフティ飲料が抽出される。
【００６８】
カップ搬送装置８は、販売する飲料が確定すると、搬送装置を駆動することにより、カップ把持装置８０を販売位置（待機位置）からカップ供給位置に移動させる。カップ把持装置８０がカップ供給位置に移動すると、カップ供給装置７がカップ把持装置８０にカップを供給する。
【００６９】
そして、販売する飲料が砂糖入りの場合には、砂糖を受け取る受取位置（砂糖が一時的に収容された原料シュータ５２の下方）にカップ把持装置８０を移動させることにより、カップ把持装置８０の機構収容部８１１がレバー９５を図１１において反時計方向に回動ささせる。そして、レバー９５が反時計方向に回動すると、カム９４が反時計方向に、アーム９２が時計方向に回動することになり、レバー部５２２ａが反時計方向に回動する。すると、シャッタ５２１，５２２が開放され、原料シュータ５２からカップに砂糖が払い出される。
【００７０】
販売する飲料がクリーム入りの場合には、クリームを受け取る受取位置（クリームが一時的に収容された原料シュータ５２の下方）にカップ把持装置８０を移動させることにより、カップ把持装置８０の機構収容部８１１がレバー９５を図１１において反時計方向に回動させる。そして、レバー９５が反時計方向に回動すると、カム９４が反時計方向に、アーム９２が時計方向に回動することになり、レバー部５２２ａが反時計方向に回動する。すると、シャッタ５２１，５２２が開放され、原料シュータ５２からカップにクリームが払い出される。
【００７１】
販売する飲料がレギュラーコーヒー飲料の場合には、つぎに、カップ把持装置８０を調理位置に移動させ、レギュラーコーヒー飲料をカップに注出する。販売するレギュラーコーヒー飲料が、砂糖入りまたはクリーム入りの場合には、パドル８３を下降させるとともに回転させ、レギュラーコーヒー飲料を撹拌することにより、砂糖、クリームの溶け残りがないようする。
【００７２】
販売する飲料がリーフティ飲料の場合には、つぎに、カップ把持装置８０を調理位置に移動させ、リーフティ飲料をカップに注出する。販売するリーフティ飲料が、砂糖入りまたはクリーム入りの場合には、カップ把持装置８０を調理位置に移動させる前に、パドル８３を下降させるとともに、湯弁を開放することにより、パドル８３をリンスする。そして、パドル８３を上昇させた後、カップ把持装置８０を調理位置に移動させ、リーフティ飲料をカップに注出する。そして、パドル８３を下降させるとともに回転させ、リーフティ飲料を撹拌することにより、砂糖、クリームの溶け残りがないようにする。
【００７３】
カップに飲料が注出されると、カップ搬送装置８は、搬送装置を駆動することにより、カップ把持装置８０を調理位置から販売位置に移動させる。
【００７４】
カップ把持装置８０が販売位置に移動すると、取出口装置２９がモータ２９３を駆動することにより、カム２９４が従動フレーム２９６を右方に移動させ、ロック部材２９７を取出口扉２９２から離脱させるとともに、駆動歯車２９９が内歯歯車２９８を回転させ、取出口扉２９２が開放されるので、飲料を注出したカップが取り出し可能となる。
【００７５】
そして、取出口からカップが取り出されると、取出口装置２９がモータ２９３を駆動することにより、駆動歯車２９９が内歯歯車２９８を回転させ、取出口扉２９２が閉塞される。そして、取出口扉２９２が閉塞された後、カム２９４が従動フレーム２９６を左方に移動させると、ロック部材２９７が取出口扉２９２と係合し、取出口扉２９２が閉塞状態でロックされる。
【００７６】
一方、所定時間内に取出口からカップが取り出されない場合にも取出口装置２９がモータ２９３を駆動することにより、駆動歯車２９９が内歯歯車２９８を回転させ、取出口扉２９２が閉塞される。そして、取出口扉２９２が閉塞された後、カム２９４が従動フレーム２９６を左方に移動させると、ロック部材２９７が取出口扉２９２と係合し、取出口扉が閉塞状態でロックされる。
【００７７】
その後、カップ搬送装置８は、搬送装置を駆動することにより、カップ把持装置８０を販売位置から調理位置に移動させる。そして、パドル８３を下降させ、パドル８３をカップに挿入した後、搬送装置を駆動することにより、カップ把持装置８０を調理位置よりも更に奥方に移動させ、飲料の入ったカップをステージ部８１２から落下させる。すると、飲料の入ったカップは、トレイに落下し、入っていた飲料は、排水ホース１４を通って排水容器１５に流れ込むので、パドル８３を上昇させ、調理位置を経由して販売位置（待機位置）にカップ把持装置８０を移動させ、つぎの飲料販売に備えることができる。
【００７８】
上述した本発明の実施の形態である取出口装置２９は、モータ２９３から扉開閉機構に伝達する動力を吸収するダンパ２９４１をモータ２９３と扉開閉機構との間に備えたので、扉ロック機構と扉開閉機構とを一つのモータ２９３によって駆動することができる。したがって、取出口扉２９２を自動で開閉できる取出口装置２９を安価に提供できる。
【００７９】
また、取出口装置２９は、パルス幅変調制御（ＰＷＭ制御）によってモータ２９３が制御されるので、予め設定された開放速度で取出口扉２９２を開放し、予め設定された閉塞速度で取出口扉２９２を閉塞できる。
【符号の説明】
【００８０】
１    本体キャビネット
２    ディスプレイドア
２９    取出口装置
２９１    取出口フレーム
２９２    取出口扉
２９３    モータ
２９４    カム
２９４１    ダンパ
２９５    モータハウジング
２９５１    コイルバネ
２９５２    扉ロック検出スイッチ
２９５３    扉閉検出スイッチ
２９６    従動フレーム
２９７    ロック部材
２９８    内歯歯車
２９９    駆動歯車
３    レギュラーコーヒー抽出装置
４    リーフティ抽出装置
５    粉末原料供給装置
６    製氷器
７    カップ供給装置
８    カップ搬送装置
８０    カップ把持装置
８１    ステージ
８１１    機構収容部
８１２    ステージ部
８２    カップフラッパ
８２１    フラッパアーム部
８２２    カップ把持部
８２３    フラッパ部
８３    パドル
【図１】
2010205250.tif 000003
【図２】
2010205250.tif 000004
【図３】
2010205250.tif 000005
【図４】
2010205250.tif 000006
【図５】
2010205250.tif 000007
【図６】
2010205250.tif 000008
【図７】
2010205250.tif 000009
【図８】
2010205250.tif 000010
【図９】
2010205250.tif 000011
【図１０】
2010205250.tif 000012
【図１１】
2010205250.tif 000013
【図１２】
2010205250.tif 000014
【図１３】
2010205250.tif 000015
【図１４】
2010205250.tif 000016
【図１５−１】
2010205250.tif 000017
【図１５−２】
2010205250.tif 000018
【図１６】
2010205250.tif 000019
【図１７−１】
2010205250.tif 000020
【図１７−２】
2010205250.tif 000021
【図１８】
2010205250.tif 000022